【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】
１対の実質的に１８０度反対向きに面している表面を有するハウジングと、
各前記表面に取り付けられ、前記表面の他方に取り付けられたアンテナ要素の方向に対して反対方向にエネルギを放射する少なくとも１つのパッチ・アンテナ要素と、
前記ハウジング内に取り付けられ、前記ハウジングの前記１対の反対向きに面している表面の各々の上の少なくとも１つのアンテナ要素同士間に信号を動作的に結合する電子回路と
を備えるモジュール式中継器。
【請求項２】
単一のアンテナ要素が、前記ハウジングの前記反対向きに面している表面の各々に取り付けられ、
前記電子回路は、各前記アンテナと動作的に結合する周波数ダイプレクサと、前記周波数ダイプレクサ同士間に結合された１対の信号送信回路とを備える
請求項１記載のモジュール式中継器。
【請求項３】
各前記信号送信回路は、前記の２つのアンテナ要素間で１方向に信号を送信し、
各前記信号送信回路は、到来通信信号の帯域幅を狭くする第１のフィルタと、前記第１のフィルタから受け取られた通信信号を増幅する増幅器と、前記増幅器の出力に配置され、前記増幅器を他の信号送信回路の信号電力から防ぐ第２のフィルタとを備える
請求項２記載のモジュール式中継器。
【請求項４】
１つのアンテナ要素は通信信号を送信するためであり、もう１つのアンテナ要素は通信信号を受信するためである、２つのアンテナ要素が、前記のモジュール式ハウジングの各側面に取り付けられている請求項１記載のモジュール式中継器。
【請求項５】
前記電子回路は、１対の信号送信回路を備え、
各前記信号送信回路は、前記ハウジングの１つの表面上の送信アンテナと前記ハウジングの反対表面上の受信アンテナとの間に信号経路を形成し、
各前記信号送信回路は、到来通信信号の帯域幅を狭くする第１のフィルタと、前記第１のフィルタから受け取られた通信信号を増幅する増幅器と、前記増幅器の出力に配置され、前記増幅器を他の信号送信回路の信号電力から防ぐ第２のフィルタとを備える
請求項４記載のモジュール式中継器。
【請求項６】
各前記アンテナ要素は、マイクロストリップ・パッチを備える請求項１記載のモジュール式中継器。
【請求項７】
前記ハウジングの表面に沿って配置された複数の電磁短絡要素であって、その上に前記アンテナ要素が配置されている前記反対向きに面している表面同士を結合する複数の電磁短絡要素を更に含む請求項１記載のモジュール式中継器。
【請求項８】
建物等のような閉じた範囲の内部表面で且つ信号源に一般的に面している位置に取り付けられた中継器モジュールを含み、
前記中継器モジュールが、前記ハウジングを含む
請求項１記載のモジュール式中継器。
【請求項９】
塔又は他の高い構造物に設置可能な屋外中継器モジュールを含み、
前記屋外中継器モジュールが、前記ハウジングを含む
請求項１記載のモジュール式中継器。
【請求項１０】
１対の実質的に１８０度反対向きに面している表面を有するハウジングと、
各前記表面に取り付けられ、前記表面の他方に取り付けられたアンテナ要素の方向に対して反対方向にエネルギを放射する少なくとも１つのアンテナ要素と、
前記ハウジング内に取り付けられ、前記ハウジングの前記１対の反対向きに面している表面の各々の上の少なくとも１つのアンテナ要素同士間に信号を動作的に結合する電子回路と、を備え、
前記電子回路は、信号強度回路を含み、更に事前選択されたスレッショルドに等しいかそれより大きい信号強度を与える信号源と前記モジュール式中継器が一列に並んでいることを示すため前記信号強度回路と動作的に結合されかつ前記ハウジングの外部から視認可能である表示要素を含む
モジュール式中継器。
【請求項１１】
前記モジュール式中継器をＡＣ電力源に結合するため前記ハウジングから延在するＡＣ電力コード及びＡＣ電力プラグのうちの１つを更に含み、
前記ＡＣ電力プラグはまた、前記モジュール式中継器をＡＣ壁レセプタクルに取り付けることが可能である
請求項１０記載のモジュール式中継器。
【請求項１２】
建物等のような閉じた範囲で使用の屋内中継器システムにおいて、
複数の中継器モジュールを備え、
前記複数の中継器モジュールの少なくとも１つは、前記閉じた範囲に対して外部の信号源から最適信号レベルを受信する位置に取り付けられ、
他の中継器モジュールは、前記閉じた範囲の少なくとも１つの所望の部分の周りに通信信号を分配するため配置されており、
各前記中継器モジュールは、
１対の実質的に１８０度反対向きに面している表面を有するハウジングと、
各前記表面に取り付けられ、前記表面の他方に取り付けられたアンテナ要素の方向に対して反対方向にエネルギを放射する少なくとも１つのパッチ・アンテナ要素と、
前記ハウジング内に取り付けられ、前記ハウジングの前記１対の反対向きに面している表面の各々の上の少なくとも１つのアンテナ要素同士間で信号を動作的に結合する電子回路とを備える
屋内中継器システム。
【請求項１３】
１対の実質的に１８０度反対向きに面している表面を有するハウジングを設けるステップと、
少なくとも１つのパッチ・アンテナ要素を前記１対の反対向きに面している表面の各々に、前記反対向きに面している表面の他方に取り付けられたアンテナ要素の方向に対して反対方向にエネルギを放射するため取り付けるステップと、
前記ハウジングの前記１対の反対向きに面している表面の各々の上の少なくとも１つのアンテナ要素同士間に信号を動作的に結合する電子回路を前記ハウジング内に取り付けるステップと
を備える、モジュール式中継器を構成する方法。
【請求項１４】
１つのアンテナ要素は通信信号を送信するためであり、１つのアンテナ要素は通信信号を受信するためである、２つのアンテナ要素を前記のモジュール式ハウジングの各側面に取り付けるステップを含む請求項１３記載の方法。
【請求項１５】
その上に前記アンテナ要素が配置されている前記反対向きに面している表面同士を結合する複数の電磁短絡要素を前記ハウジングの表面に沿って配置するステップを更に備える請求項１３記載の方法。
【請求項１６】
１対の実質的に１８０度反対向きに面している表面を有するハウジングを設けるステップと、
少なくとも１つのパッチ・アンテナ要素を前記１対の反対向きに面している表面の各々に、前記反対向きに面している表面の他方に取り付けられたアンテナ要素の方向に対して反対方向にエネルギを放射するため取り付けるステップと、
前記ハウジングの前記１対の反対向きに面している表面の各々の上の少なくとも１つのアンテナ要素同士間に信号を動作的に結合する電子回路であって信号強度を決定する前記電子回路を前記ハウジング内に取り付けるステップと、
表示要素を前記電子回路に結合するステップと、
事前選択されたスレッショルドに等しいかそれより大きい信号強度を与える信号源と前記モジュール式中継器が一列に並んでいることを示すため前記ハウジングの外部から視認可能であるように前記表示要素を取り付けるステップと
を備えるモジュール式中継器を構成する方法。
【請求項１７】
前記モジュール式中継器をＡＣ電力源に結合するため前記ハウジングからＡＣ電力コード及びＡＣ電力プラグのうちの１つを延長させるステップを更に含み、
前記ＡＣ電力プラグはまた、前記モジュール式中継器をＡＣ壁レセプタクルに取り付けることが可能である
請求項１６記載の方法。
【請求項１８】
１対の実質的に１８０度反対向きに面している表面を有するハウジングと、
基地ステーションと通信する少なくとも１つのドナー・アンテナ要素、及び遠隔ステーションと通信する少なくとも１つのヌル・アンテナ要素と、を備え、
前記ドナー・アンテナ要素及びヌル・アンテナ要素がそれぞれ、エネルギを反対方向に放射するため前記反対向きに面している表面に取り付けられ、
前記ハウジングに取り付けられ、相殺信号を発生する適応相殺回路であって、前記ドナー・アンテナ及び前記ヌル・アンテナのうちのいずれから無線周波数信号に加えられるとき前記無線周波数信号に存在するフィードバック信号に破壊的に干渉する適応相殺回路を更に備える中継器システム。
【請求項１９】
前記ドナー・アンテナと前記ヌル・アンテナとの間に結合された無線周波数アップリンク経路及び無線周波数ダウンリンク経路を更に備え、
前記適応相殺回路が、前記無線周波数アップリンク経路及び前記無線周波数ダウンリンク経路のうちの少なくとも１つの中にある
請求項１８記載の中継器システム。
【請求項２０】
前記適応相殺回路は、
前記無線周波数アップリンク経路及び前記無線周波数ダウンリンク経路のうちの一つからの到来無線周波数信号であってフィードバック信号成分を有する前記到来無線周波数信号を受け取り、前記到来無線周波数信号をディジタルにサンプリングし、処理して中間周波数信号を発生するディジタル信号プロセッサ回路と、
前記中間周波数信号、及び前記無線周波数アップリンク経路及び前記無線周波数ダウンリンク経路のうちの前記一つからの無線周波数出力信号のサンプルを受け取って、前記相殺信号を発生する変調器回路とを備える
請求項１９記載の中継器システム。
【請求項２１】
前記ディジタル信号プロセッサ回路は、
前記到来無線周波数信号をディジタル・サンプリングするためのより低い周波数信号に変換する無線周波数ダウンコンバータと、
前記無線周波数ダウンコンバータに結合され、前記より低い周波数信号をディジタル化するアナログ／ディジタル変換器と、
前記アナログ／ディジタル変換器に結合され、前記変調器回路のための所望の中間周波数信号を計算するプロセッサとを備える
請求項２０記載の中継器システム。
【請求項２２】
前記適応相殺回路は更に、前記中間周波数信号と前記到来無線周波数信号とを受け取って、加算する加算結合部を含む請求項２０記載の中継器システム。
【請求項２３】
前記ディジタル・プロセッサ回路は、前記加算結合部の出力を受け取る請求項２２記載の中継器システム。
【請求項２４】
前記適応相殺回路は更に、前記加算結合部の出力を受け取るよう結合されたフィルタと、前記フィルタの出力を受け取るよう結合された電力増幅器とを含む請求項２３記載の中継器システム。
【請求項２５】
前記変調器回路は、無線周波数出力信号を受け取って、減衰する制御可能な減衰器と、前記減衰器及び前記プロセッサに結合されたＩ／Ｑ変調器とを備える請求項２１記載の中継器システム。
【請求項２６】
単一のアンテナ要素が、前記ハウジングの前記反対向きに面している表面の各々に取り付けられ、
前記アンテナ要素間にある電子回路は、各前記アンテナと動作的に結合する周波数ダイプレクサと、前記周波数ダイプレクサ同士間に結合された１対の信号送信回路とを含む
請求項１８記載の中継器システム。
【請求項２７】
各前記信号送信回路は、前記の２つのアンテナ要素間で１方向に信号を送信し、
各前記信号送信回路は、到来通信信号の帯域幅を狭くする第１のフィルタと、前記第１のフィルタから受け取られた通信信号を増幅する増幅器と、前記増幅器の出力に配置され、前記増幅器を他の信号送信回路の信号電力から防ぐ第２のフィルタとを備える
請求項２６記載の中継器システム。
【請求項２８】
１つのアンテナ要素は通信信号を送信するためであり、もう１つのアンテナ要素は通信信号を受信するためである、２つのアンテナ要素が、前記ハウジングの各側面に取り付けられ、
電子回路を前記アンテナ要素間に含む
請求項１８記載の中継器システム。
【請求項２９】
前記電子回路は、１対の信号送信回路を備え、
各前記信号送信回路は、前記ハウジングの１つの表面上の送信アンテナと前記ハウジングの反対表面上の受信アンテナとの間に信号経路を形成し、
各前記信号送信回路は、到来通信信号の帯域幅を狭くする第１のフィルタと、前記第１のフィルタから受け取られた通信信号を増幅する増幅器と、前記増幅器の出力に配置され、前記増幅器を他の信号送信回路の信号電力から防ぐ第２のフィルタとを備える
請求項２８記載の中継器システム。
【請求項３０】
各前記アンテナ要素は、マイクロストリップ・パッチを備える請求項１８記載の中継器システム。
【請求項３１】
前記適応相殺回路が、前記ハウジング内に収容されている請求項１８記載の中継器システム。
【請求項３２】
前記相殺信号が、前記無線周波数信号に存在するフィードバック信号を実質的に相殺する請求項１８記載の中継器システム。
【請求項３３】
１対の実質的に１８０度反対向きに面している表面を有するハウジングと、基地ステーションと通信する少なくとも１つのドナー・アンテナ要素及び遠隔ステーションと通信する少なくとも１つのヌル・アンテナ要素と、前記ドナー・アンテナ要素及び前記ヌル・アンテナ要素の間に結合された無線周波数アップリンク経路及び無線周波数ダウンリンク経路とを有する中継器システムを動作させる方法であって、前記ドナー・アンテナ要素及びヌル・アンテナ要素がそれぞれ、エネルギを反対方向に放射するため前記反対向きに面している表面に取り付けられている、前記方法において、
前記ハウジングに取り付けられた電子回路内で、前記無線周波数アップリンク経路と前記無線周波数ダウンリンク経路とのうちの少なくとも１つの中に相殺信号を発生するステップであって、前記相殺信号は、前記無線周波数アップリンク経路と前記無線周波数ダウンリンク経路とのいずれかにおいて無線信号信号に加えられるとき、前記無線周波数信号に存在するフィードバック信号に破壊的に干渉する、前記相殺信号を発生するステップと
を備える方法。
【請求項３４】
前記発生するステップは、
前記無線周波数アップリンク経路及び前記無線周波数ダウンリンク経路のうちの１つからの到来無線周波数信号であってフィードバック信号成分を有する前記到来無線周波数信号を受け取るステップと、
前記到来無線周波数信号をディジタルにサンプリングし、処理して中間周波数信号を発生するステップと、
前記中間周波数信号、及び前記無線周波数アップリンク経路及び前記無線周波数ダウンリンク経路のうちの前記１つからの無線周波数出力信号のサンプルを用いて、前記相殺信号を発生するステップとを備える
請求項３３記載の方法。
【請求項３５】
前記処理するステップは、
前記到来無線周波数信号をディジタル・サンプリングのためのより低い周波数信号に下方変換するステップと、
前記より低い周波数信号をディジタル化するステップと、
前記ディジタル化されたより低い周波数信号を用いて、所望の中間周波数信号をディジタルに計算するステップとを備える
請求項３３記載の方法。
【請求項３６】
前記中間周波数信号と前記到来周波数信号を加算するステップを更に含む請求項３３記載の方法。
【請求項３７】
前記ディジタルに処理ステップが前記加算するステップに続く請求項３６記載の方法。
【請求項３８】
前記加算するステップに続くフィルタリング及び電力増幅するステップを更に含む請求項３７記載の方法。
【請求項３９】
前記相殺信号を発生するステップは、
前記無線周波数出力信号を制御可能に減衰するステップと、
前記減衰するステップに続くＩ／Ｑ変調するステップとを更に備える
請求項３５記載の方法。
【請求項４０】
前記相殺信号が、前記無線周波数信号に存在するフィードバック信号を実質的に相殺する請求項３３記載の方法。
【請求項４１】
基地ステーションと通信する少なくとも１つのドナー・アンテナ要素及び遠隔ステーションと通信する少なくとも１つのヌル・アンテナ要素と、
相殺信号が前記ドナー・アンテナ要素及び前記ヌル・アンテナ要素のうちのいずれかから無線周波数信号に加えられたとき前記周波数信号に存在するフィードバック信号に破壊的に干渉する前記相殺信号を発生する適応相殺回路と
を備える中継器システム。